(57)【要約】【課題】使用時や誤って落としたときにも折れにくく、例えもろく、折れやすいとされるパウダースティックを容器中に装填したとしても、これを安定に保持し、安心して使用できるスティック化粧品を提供すること。【解決手段】外筒、スリーブ及びスティック状化粧組成物を載置した内皿を有し、内皿がスリーブに沿って上下し、スティック状化粧組成物を出没させることのできるスティック化粧品において、当該スティック状化粧組成物が直接スリーブおよび／または内皿に接することを防ぐ手段が設けられていることを特徴とするスティック化粧品。【選択図】  なし【特許請求の範囲】
【請求項１】
外筒、スリーブ及びスティック状化粧組成物を載置した内皿を有し、内皿がスリーブに沿って上下し、スティック状化粧組成物を出没させることのできるスティック化粧品において、当該スティック状化粧組成物が直接スリーブおよび／または内皿に接することを防ぐ手段が設けられていることを特徴とするスティック化粧品。
【請求項２】
外筒が回転筒であり、回転筒を回転させることにより内皿がスリーブに沿って上下し、スティック状化粧組成物を出没させることができる請求項第１項記載のスティック化粧品。
【請求項３】
スティック状化粧組成物が直接スリーブに接することを防ぐ手段が、スリーブ内側に設けられた保護線条であり、内皿の当該保護線条に対応する部分に切り込み部が設けられていることを特徴とする請求項第１項または第２項記載のスティック化粧品。
【請求項４】
保護線条が、縦線状である請求項第３項記載のスティック化粧品。
【請求項５】
保護線条が、弾性部材で形成されたものである請求項第３項または第４項記載のスティック化粧品。
【請求項６】
スティック状化粧組成物が直接内皿に接することを防ぐ手段が、スティック状化粧組成物と内皿の載置部との間に敷設された緩衝シートであることを特徴とする請求項第１項または第２項記載のスティック化粧品。
【請求項７】
緩衝シートが、弾性部材で形成されたものである請求項第６項記載のスティック化粧品。
【請求項８】
緩衝シートの形状が、多角形形状の中心部から帯状片が伸び出した形状であり、多角形は、内皿の円周よりも小さいものである請求項第６項または第７項記載のスティック化粧品。
【請求項９】
更に、スリーブ上部の内側に、リング状の保護部材を設けたことを特徴とする請求項第１項ないし第８項の何れかの項記載のスティック化粧品。
【請求項１０】
スティック状化粧組成物を載置した内皿が、先ずスティック状化粧組成物を成形し、その後これを内皿に嵌入したものであることを特徴とする請求項第１項ないし第９項の何れかの項記載のスティック化粧品。
【請求項１１】
スティック状化粧組成物が、パウダースティックであることを特徴とする請求項第１項ないし第１０項の何れかの項記載のスティック化粧品。
【発明の詳細な説明】
【０００１】
【発明の属する技術分野】
本発明は、スティック化粧品に関し、更に詳細には、折れやすいスティック状化粧組成物を安定に収納してなり、使用時や誤って落としたときに折れにくいスティック化粧品に関する。
【０００２】
【従来の技術】
一般に、スティック化粧品は、その内容物であるスティック状の化粧料組成物を肌、口唇、眼粘膜等の身体の部位に塗布する時にスティックに力がかかり、折れる場合がある。また、スティック化粧品を落とした時にはその衝撃により容器内でスティックが曲がったり、折れたりする場合がある。
【０００３】
特に、多量の化粧用粉体を油剤や結合剤等で固めた、いわゆるパウダースティックを装填したスティック化粧品が現在チークカラー、フェイスパウダー、ファンデーション、アイシャドウ、アイブラウ、コンシーラー等として使用されているが、これらの製品は化粧用粉体粒子ののつなぎとなる油剤や結合剤の量が少ないため、かなりもろいスティックとなる。
【０００４】
その上、このような多量の化粧用粉体を固めたスティックは、前工程で一度スティック状に成形した化粧料組成物をその後嵌入するかたちで容器に装填しなければならないことが多いためスティックが傷つきやすく、それが原因となって、使用時や、例えば誤って落とした時に折れやすくなる場合があった。
【０００５】
従来、スティック状の化粧料組成物（以下、「スティック化粧組成物」という）を装填するスティック化粧品について、その折れや損傷を防ぐための技術が多く報告されている。例えば、棒状化粧料容器のスリーブを、底面側が上面側より大きくなるように形成し、棒状化粧料を当該スリーブの上部開口側端部で保持するようにした棒状化粧料容器が報告されている（特許文献１参照）。
【０００６】
また、棒状化粧料への衝撃を緩衝する工夫がなされた化粧料容器も報告されている（特許文献２ないし４参照）。
【０００７】
しかしながら、これらの工夫は、ワックス類で系を固めた油性棒状化粧料のように相対的に固いものであれば効果があるが、パウダースティックのようなもろいスティック状化粧組成物、特に前工程で成形したスティック状化粧組成物を後で内皿に嵌入させるスティック化粧品では十分な効果を得ることは困難であった。
【０００８】
【特許文献１】
特開平１０−１７９２４７号
【特許文献２】
特許第３３２２３０６号
【特許文献３】
特開２００１−１２８７３４
【特許文献４】
実用新案第２５９９２９３号
【０００９】
【発明が解決しようとする課題】
本発明は上記実情に鑑みなされたものであり、使用時や誤って落としたときにも折れにくく、例え上記のようなもろく、折れやすいとされるパウダースティックを容器中に装填したとしても、これを安定に保持し、安心して使用できるスティック化粧品の提供をその課題とするものである。
【００１０】
【課題を解決するための手段】
本発明者は、スティック状化粧組成物を成形した後に容器の内皿に嵌入させるパウダースティックのようなスティック化粧品において、該スティック状化粧組成物が折れる原因について検討を行った結果、その原因の多くは内皿側面の皿の厚さ等に由来するスティック状化粧組成物とスリーブの間の隙間であり、この隙間があるため外部からの衝撃や力が加わるとスティック状化粧組成物の自由端がスリーブ内を横方向に動いてスリーブと接触し、スティック状化粧組成物が大きな衝撃を受けて折れやすいこと、また、スティック状化粧組成物と内皿が直接接触する部分において外部からの衝撃や力が集中するため、特にこの接触部分において折れやすいことを知った。
【００１１】
そしてこれらのような接触の防止は、スリーブ内側に保護線条設けてスティック状化粧組成物の横方向の動き（ブレ）を押さえたり、また、内皿とスティック状化粧組成物の間に緩衝シートを設けて外部からの衝撃や力が両者の接触部分に集中するのを避けることにより可能であることを見いだし、本発明を完成した。
【００１２】
すなわち本発明は、外筒、スリーブ及びスティック状化粧組成物を載置した内皿を有し、内皿がスリーブに沿って上下し、スティック状化粧組成物を出没させることのできるスティック化粧品において、当該スティック状化粧組成物が直接スリーブおよび／または内皿に接することを防ぐ手段が設けられていることを特徴とするスティック化粧品であり、特に外筒が回転筒であり、この回転筒を回転することにより内皿がスリーブに沿って上下し、スティック状化粧組成物を出没させることのできるスティック化粧品である。
【００１３】
また本発明は、上記スティック化粧品において、スティック状化粧組成物が直接スリーブに接することを防ぐ手段が、当該スリーブ内側に設けられた保護線条であり、内皿の当該保護線条に対応する部分に切り込み部が設けられていることを特徴とするスティック化粧品である。
【００１４】
更に本発明は、上記スティック化粧品において、スティック状化粧組成物が直接内皿に接することを防ぐ手段が、スティック状化粧組成物と内皿の載置部との間に敷設された緩衝シートであることを特徴とするスティック化粧品である。
【００１５】
【発明の実施の形態】
以下、本発明の一実施態様を示す図面と共に、本発明を更に詳しく説明する。
【００１６】
図１は、本発明のスティック化粧品の外観を示す図面であり、１はスティック化粧品、２は回転筒（外筒）、３はスリーブ、５は係止部を示す。本図は、商品としての装飾であるキャップおよび外筒を外した状態を示すものであり、スティック（図示せず）はスリーブ３の中に装填されている。このスティック化粧品は、スリーブ３の中に内皿４を装着し、更に回転筒２を係止部５により取り付けたものである。
【００１７】
このスリーブ３は、図２の正面図および図３のＡ−Ａ’線断面図に示すような形状をした上下両端が開放された筒状体であり、更に下端が開放され、上端に停止孔６ａを設けたガイド溝６が下部に設けられ、ほぼ中央には係止溝１３がそれぞれ設けられている。また、図３に示すように、上部円筒内側には保護線条７が設けられている。
【００１８】
一方、スリーブ３内に装着される内皿４は、図４の正面図および図５のＢ−Ｂ’線断面図に示すような形状をしたものであり、複数の上方に開放された切り欠き部９と、スティック状化粧組成物を裁置するための裁置部８が設けられている。また、内皿４の外側には、やや斜め上方向に向いた小突起１０が設けられている。
【００１９】
更に、回転筒２は、図７の縦断面図に示すように、内側にねじ溝１１が設けられており、また上部には係止部５が、上部内側には係止突起１２が設けられている。
【００２０】
本発明のスティック化粧品は、内皿４をスリーブ３の下側から、小突起１０がガイド溝６に合うように挿入し、次いで、内皿４を挿入したスリーブ３の外側から、回転筒２を、係止部５および係止突起１２と、スリーブ３の係止溝１３を嵌合させて容器を組み立て、その後内皿４の載置部８にスティック状化粧組成物を装填することにより組み立てることができる。なお、内皿４の載置部８にスティック状化粧組成物を載置した後に、上記と同様の方法を用いて組み立てることもできる。
【００２１】
そして、回転筒２を右に回転させることにより、小突起１０は、内側のねじ溝１１によって、右上方向に移動する力を受けるが、これがガイド溝６中にあるため、ガイド溝６の右端に沿って上部へと移動する。この小突起１０の移動と共に、これが取り付けられた内皿４もスリーブ３内を上方に移動し、この結果、裁置部８に裁置されたスティック状化粧組成物が繰り出されるのである。
【００２２】
この繰り出しに当たって、スティック状化粧組成物は、スリーブ３の内側に若干突出するように設けられた保護線条７と、これに対応して内皿４に設けられた切り欠き部９を介して接するが、スリーブ３自体には接することがなく、スティック状化粧組成物の横方向の動き（ブレ）がないため、衝撃や外部からの力に対して折れにくくなる。そして、この保護線条７をゴムやエラストマー等の弾性部材で形成すれば、たとえスティック状化粧組成物自体に力が加わったとしても、スティック状化粧組成物自体への衝撃が緩和され、更に折れにくくなる。なお、保護線条７は、上にまっすぐ伸びる縦線状であっても、回転しながら伸びるらせん状であっってもよいが、本発明においては、操作性の点から、上にまっすぐ伸びる縦線状のものが好ましい。また、内皿４に設けられた切り欠き部９はこれに対応させた形状で形成する必要がある。
【００２３】
また、スリーブ上部の開口部円周に同じく弾性部材で形成された保護リング（図示しない）を設ければ、この部分でもスティック状化粧組成物はスリーブと接することなく、より衝撃の影響を受けにくくなる。
【００２４】
一方、スティック状化粧組成物の収納は、回転筒２を左に回転させることにより、上記と逆に、小突起１０がガイド溝６の左端に沿って下降し、これに伴い内皿４も下降することにより行われる。
【００２５】
また、本実施態様においては、スティック状化粧組成物に対する衝撃や外力が特定の部位に集中することを防ぐために、スティック状化粧組成物と内皿４の載置部８との間に、緩衝シート１４が敷設することが好ましい。この緩衝シートを図８、図９、図１０及び図１１で示す。図中１５はスティック状化粧組成物を示す。この緩衝シート１４は、例えば、図８や図９に示すように、多角形形状の中心部１４ａから帯状片１４ｂが伸び出した形状（例えば、三叉型、十字形等）であり、中心部１４ａ（図中、点線で示す）は、内皿の円周（図中、一点鎖線で示す）より小さいものであることが好ましい。
【００２６】
またその材質も、ゴムやエラストマー等の弾性部材で形成されたものであることが望ましい。この緩衝シート１４は図１０に示すようにスティック状化粧組成物１５を内皿４に装填する際に、その多角形状中心部の中心をスティック状化粧組成物底面の中心及び内皿４の中心にほぼ合わせた状態でスティック状化粧組成物１５と内皿４の間に配置し、そのまま嵌入させる。嵌入後、スティック状化粧組成物１５は図１１に示す状態で内皿４に装填されるため直接内皿４に接することがなく、従ってスティック化粧品１に衝撃や外力が加わっても内皿４からスティック状化粧組成物１５の特定部位に力が集中して加えられることがないため、折れにくくなる。
【００２７】
なお、本発明のスティック化粧品は、そのままの状態でも使用できるが、一般には、更に回転筒２の外側を外筒で覆い、また、スリーブにはキャップをかぶせることにより、商品とされる。
【００２８】
【作用】
本発明のスティック化粧品は、スティック状化粧組成物、とりわけ衝撃や外力を受けた場合に折れやすいパウダースティックとスリーブの接触をなくし、その間に好ましくは弾性部材で形成される保護線条を設けてこれで接触するようにしたものであるため、スティック状化粧組成物が折れにくくなっている。
【００２９】
ここでいうパウダースティックとは、多量の化粧用粉体を油剤や結合剤等で固めた粉末固形状の組成物を示し、現在チークカラー、フェイスパウダー、ファンデーション、アイシャドウ、アイブラウ、コンシーラー等として使用されているものである。このパウダースティックは、一般に組成物全量中の粉体の含有量が５０質量％以上、好ましくは７０〜１００質量％の粉末固形状組成物として示すことができ、このようなパウダースティックとしては、例えば特開２０００−３４４６１６号公報等に記載されるものを示すことができる。このようなパウダースティックは化粧用粉体粒子のつなぎとなる油剤や結合剤の量が少ないため、一般にもろいスティックとなる場合が多いものである。
【００３０】
また、本発明のスティック化粧品は、内皿とスティック状化粧組成物の間に緩衝シートを設けて直接の接触をなくし、外部からの衝撃や力が内皿とスティック状化粧組成物の接触部分に集中するのを避けるようにしたものであるため、スティック状化粧組成物が折れにくくなっている。
【００３１】
更に、スリーブの上部開口部に保護リングを設ければ、これによってもスティック状化粧組成物の横方向のブレが少なくなるため、更に折れにくくなる。
【００３２】
【発明の効果】
本発明のスティック化粧品によれば、スティック状化粧組成物、とりわけもろいとされるパウダースティックを衝撃や外力から効果的に保護することができる。
【００３３】
従って、スティック状化粧組成物が本来有する性質を生かしながら、折れにくいパウダースティック、例えば、チークカラー、フェイスパウダー、ファンデーション、アイシャドウ、アイブラウ、コンシーラー等の化粧料として有利に使用できるものである。
【図面の簡単な説明】
【図１】本発明スティック化粧品の一態様の外観を示す図面
【図２】スリーブの正面図
【図３】スリーブの図２のＡ−Ａ’線断面図
【図４】内皿の正面図
【図５】内皿の図４のＢ−Ｂ’線断面図
【図６】回転筒の正面図
【図７】回転筒の縦断面図
【図８】緩衝シートの一態様を示す平面図
【図９】緩衝シートの別の態様を示す平面図
【図１０】緩衝シートを内皿に取り付ける状態を示した図面
【図１１】緩衝シートを内皿に取り付けた後の状態を、内皿を透視して示した図面
【符号の説明】
１  …  …  スティック化粧品
２  …  …  回転筒（外筒）
３  …  …  スリーブ
４  …  …  内皿
５  …  …  係止部
６  …  …  ガイド溝
７  …  …  保護線条
８  …  …  裁置部
９  …  …  切り欠き部
１０  …  …  小突起
１１  …  …  ねじ溝
１２  …  …  係止突起
１３  …  …  係止溝
１４  …  …  緩衝シート
１５  …  …  スティック状化粧組成物
以    上
【図１】
2004298236.tif 000002
【図２】
2004298236.tif 000003
【図３】
2004298236.tif 000004
【図４】
2004298236.tif 000005
【図５】
2004298236.tif 000006
【図６】
2004298236.tif 000007
【図７】
2004298236.tif 000008
【図８】
2004298236.tif 000009
【図９】
2004298236.tif 000010
【図１０】
2004298236.tif 000011
【図１１】
2004298236.tif 000012